(57)【要約】【課題】現金決済ユニットおよび電子決済ユニットの選択的な設置や入れ替え等による不都合が生じにくい決済カウンタを得る。【解決手段】電子決済カウンタ１Ａの第一のユニット２Ａの一部である第一の筐体４Ａと現金決済ユニットの一部である第二の筐体とが共通構造として構成された。よって、本実施形態では、第一のユニット２Ａと第二のユニットとで、サイズを統一しやすくなる。このため、例えば、電子決済カウンタ１Ａおよび現金決済カウンタのうちいずれかを選択する場合や、既に設置した第一のユニット２Ａおよび第二のユニットのうち一方を他方に入れ替える場合等に、選択されるあるいは入れ替えられる対象としてのユニットに対応する設置スペースは大きく変化しないため、設置スペースの見積もりや、ユニットの入れ替えに伴うレイアウトの変更等を、比較的容易に行うことができる。【選択図】図１
2011186811.tif 000002
【特許請求の範囲】
【請求項１】
商品コードを検出するスキャナと、
前記スキャナによる検出結果に基づいた商品の決済金額を表示する表示部と、
電子決済処理のリーダライタを有するとともに自動釣銭機を有さない第一のユニットおよび自動釣銭機を有した第二のユニットのうちいずれか一つと、
を備え、
前記第一のユニットの一部である第一の筐体と前記第二のユニットの一部である第二の筐体とが共通構造として構成されたことを特徴とする決済カウンタ。
【請求項２】
前記自動釣銭機が前記第二の筐体上に載置されたことを特徴とする請求項１に記載の決済カウンタ。
【請求項３】
商品の重量を計量する計量器が前記第一の筐体上に載置されたことを特徴とする請求項１または２に記載の決済カウンタ。
【請求項４】
前記第一および第二のユニットは、それぞれ、
前記第一または第二の筐体の上方に配置され、前記スキャナを有する上部筐体と、
前記第一または第二の筐体と前記上部筐体とを後側で接続する支柱部と、
を有したことを特徴とする請求項１〜３のうちいずれか一つに記載の決済カウンタ。
【請求項５】
前記第二のユニットと、
前記第二の筐体と共通構造として構成される第三の筐体と、当該第三の筐体上に載置された計量器と、を有した第三のユニットと、
を備えたことを特徴とする請求項１〜４のうちいずれか一つに記載の決済カウンタ。
【請求項６】
商品コードを検出するスキャナと、
前記スキャナによる検出結果に基づいた商品の決済金額を表示する表示部と、
電子決済処理のリーダライタを有するとともに自動釣銭機を有さない第一のユニットおよび自動釣銭機を有した第二のユニットのうちいずれか一つと、
を備え、
前記第一のユニットの幅と前記第二のユニットの幅が同じであることを特徴とする決済カウンタ。
【発明の詳細な説明】
【技術分野】
【０００１】
本発明は、決済カウンタに関する。
【背景技術】
【０００２】
従来、自動釣銭機を備えた現金決済カウンタが知られている（例えば特許文献１）。また、クレジットカードや電子マネー等の普及により、電子決済専用の電子決済カウンタも求められつつある。
【発明の概要】
【発明が解決しようとする課題】
【０００３】
店舗では、決済カウンタを設置するにあたり、現金決済が可能な現金決済ユニットを設置するか、電子決済専用の電子決済ユニットを設置するかが、顧客の利用状況等に応じて選択される場合がある。その場合、現金決済ユニットと電子決済ユニットとで、それらのサイズが著しく異なると、どちらのユニットを設置するかによって、店舗内のレイアウトの変更を余儀なくされたり、サイズの大きいユニットに合わせて設置領域を確保したのに対してサイズの小さいユニットを設置することになって余分なスペースが生じたり、といった不都合が生じやすかった。
【０００４】
そこで、本発明は、現金決済ユニットおよび電子決済ユニットの選択的な設置や入れ替えによる不都合が生じにくい決済カウンタを得ることを目的とする。
【課題を解決するための手段】
【０００５】
本発明にかかる決済カウンタにあっては、商品コードを検出するスキャナと、前記スキャナによる検出結果に基づいた商品の決済金額を表示する表示部と、電子決済処理のリーダライタを有するとともに自動釣銭機を有さない第一のユニットおよび自動釣銭機を有した第二のユニットのうちいずれか一つと、を備え、前記第一のユニットの一部である第一の筐体と前記第二のユニットの一部である第二の筐体とが共通構造として構成されたことを特徴の一つとする。
【発明の効果】
【０００６】
本発明によれば、現金決済ユニットおよび電子決済ユニットの選択的な設置や入れ替えによる不都合が生じにくい決済カウンタを得ることができる。
【図面の簡単な説明】
【０００７】
【図１】図１は、本発明の一実施形態にかかる決済カウンタとしての電子決済カウンタを示す斜視図である。
【図２】図２は、決済カウンタとしての現金決済カウンタを示す斜視図である。
【図３】図３は、電子決済カウンタの第一のユニットの側面図である。
【図４】図４は、現金決済カウンタの第二のユニットの側面図である。
【図５】図５は、現金決済カウンタの第三のユニットの側面図である。
【図６】図６は、電子決済カウンタの第一のユニットの内部構成を示す側面図である。
【図７】図７は、電子決済カウンタの第二のユニットの内部構成を示す側面図である。
【図８】図８は、電子決済カウンタの第三のユニットの内部構成を示す側面図である。
【図９】図９は、電子決済カウンタおよび現金決済カウンタの制御回路の概略構成を示すブロック図である。
【発明を実施するための形態】
【０００８】
以下、本発明の実施形態について、図面を参照しながら詳細に説明する。なお、各図では、便宜上、決済カウンタに対向するオペレータ（ユーザ）の姿勢を基準として、左右方向をＸ方向、奥行方向をＹ方向、上下方向をＺ方向とする。なお、これらＸ方向、Ｙ方向、およびＺ方向は、相互に直交している。また、以下では、オペレータ（ユーザ）から見た手前側（Ｙ方向矢印の基端側）を前側、奥側（Ｙ方向矢印の先端側）を後側と称する。
【０００９】
電子決済カウンタ１Ａは、図１に示すように、第一のユニット２Ａと、買い物かご（図示せず）等を載置する載置台ユニット３と、を備えている。
【００１０】
載置台ユニット３は、側壁３ａならびに当該側壁３ａに支持された天壁３ｂ等を有している。天壁３ｂは、設置面Ｇと平行に（すなわち水平に）配置される。
【００１１】
第一のユニット２Ａは、設置面Ｇ上に載置された直方体の箱状のベース（基台）としての第一の筐体４Ａと、第一の筐体４Ａより上方に間隔をあけて配置される上部筐体５と、を有している。第一の筐体４Ａと上部筐体５とは、第一のユニット２Ａの後側で上下方向（Ｚ方向）に沿って伸びる支柱部６（図３参照）および後壁７によって接続されている。上部筐体５は、天壁８上に載置されている。支柱部６および後壁７は、天壁８および上部筐体５の支持部として機能している。また、支柱部６は中空構造となっており、第一の筐体４Ａと下部筐体５との間で配策されるハーネスの通路としても使用されている。
【００１２】
上部筐体５には、商品コードを検出するスキャナ９や、レシート等の印字出力を行うプリンタ１０等が設けられている。また、天壁８上には、挿入されたクレジットカードやポイントカード等に対してデータの読み出しや書き込み等を行うカード用のリーダライタ１１や、電子マネー用の端末やカード等に対してデータの読み出しや書き込み等を行う非接触式のリーダライタ１２等が設置あるいは載置されている。本実施形態では、これらリーダライタ１１，１２が、電子決済処理のリーダライタに相当する。また、上部筐体５には、表示部としてのＬＣＤ１３が、ヒンジ機構１４（図３参照）を介して取り付けられている。ＬＣＤ１３は、スキャナ９による検出結果に基づいた商品の情報（例えば、商品名、商品コード、単価、重量、合計金額（決済金額）等）や、オペレータ（ユーザ）に対して処理を指示する情報等を表示する。また、ＬＣＤ１３は、タッチパネルディスプレイとして構成されており、オペレータ（ユーザ）の手指による押圧操作入力を受け付ける。本実施形態では、これらスキャナ９や、プリンタ１０、リーダライタ１１，１２、ＬＣＤ１３等は、後述する制御回路（図９等）によって、制御される。
【００１３】
また、第一のユニット２Ａでは、第一の筐体４Ａの上部には、袋掛け機構１５付きの計量器１６が設けられている。計量器１６の天板１６ａは、長方形状に形成され、第一の筐体４Ａの上側開口部４ａ（図６参照）を、上方から、間隔をあけて覆っている。天板１６ａの幅方向（Ｘ方向）の両側では、袋掛け機構１５の一対のラダーフレーム１５ａが突出している。一対のラダーフレーム１５ａの上端部のフック部１５ｂあるいはバー１５ｃには、図示しない袋の上縁部のうち相互に対向する部分が引っ掛けられる。これにより、袋は、天板１６ａ上の一対のラダーフレーム１５ａ間のスペースＳ１で、上方に開口した状態で広げられる。そして、計量器１６は、オペレータ（ユーザ）が袋に入れた商品の重量を、計量する。なお、本実施形態では、図１の左側のラダーフレーム１５ａには、商品（図示せず）の一時載置台１７が取り付けられている。
【００１４】
一方、現金決済カウンタ１Ｂは、図２に示すように、第二のユニット２Ｂ、第三のユニット２Ｃ、および載置台ユニット３、を備えている。載置台ユニット３は、電子決済カウンタ１Ａのものと同じである。
【００１５】
第二のユニット２Ｂのベースとしての第二の筐体４Ｂは、第一のユニット２Ａの第一の筐体４Ａと同じ構造（共通構造）である。
【００１６】
また、第二のユニット２Ｂは、自動釣銭機１８を備えている。自動釣銭機１８の内部には、紙幣や硬貨等の現金が収容されている。その前面１８ａには、紙幣投入口１８ｂや、紙幣取出口１８ｃ、硬貨投入口（図示せず）等が形成されている。また、前面１８ａより前側の底壁１８ｄ上には、硬貨取出口１８ｅが形成されている。
【００１７】
この自動釣銭機１８は、第二の筐体４Ｂ上に設置されている。すなわち、第二のユニット２Ｂでは、第二の筐体４Ｂは、自動釣銭機１８の載置台として機能している。また、自動釣銭機１８の幅方向両側には、第二の筐体４Ｂの側壁４ｂに連ねて結合された矩形状の上部側壁１９が配置されている。この上部側壁１９は、後壁７にも結合されている。
【００１８】
自動釣銭機１８の上方には、スキャナ９や、プリンタ１０、リーダライタ１１，１２、ＬＣＤ１３等が設けられている。第二のユニット２Ｂでのこれらスキャナ９、プリンタ１０、リーダライタ１１，１２、およびＬＣＤ１３等の配置や支持構造は、第一のユニット２Ａでの配置や支持構造と同じである。すなわち、第二の筐体４Ｂと上部筐体５とは、後側で上下に伸びて相互に結合された支柱部６（図４参照）および後壁７によって接続されている。そして、上部筐体５は、天壁８上に載置されている。すなわち、第二のユニット２Ｂでも、支柱部６および後壁７は、天壁８および上部筐体５の支持部として機能している。また、第一のユニット２Ａと同様、天壁８上には、電子決済処理用のリーダライタ１１，１２が設置あるいは載置されている。なお、第二のユニット２Ｂを含む現金決済カウンタ１Ｂを、現金決済専用機として構成する場合には、これらリーダライタ１１，１２は不要である。
【００１９】
第三のユニット２Ｃは、第三の筐体４Ｃと、袋掛け機構１５付きの計量器１６と、を備えている。
【００２０】
第三のユニット２Ｃの第三の筐体４Ｃは、第一のユニット２Ａの第一の筐体４Ａ、および第二のユニット２Ｂの第二の筐体４Ｂと同じ構造である。また、袋掛け機構１５付きの計量器１６は、第一のユニット２Ａに装備されるものと同じ構造である。そして、第三のユニット２Ｃでの、第三の筐体４Ｃに対する袋掛け機構１５付きの計量器１６の配置や支持構造も、第一のユニット２Ａでの、第一の筐体４Ａに対する袋掛け機構１５付きの計量器１６の配置や支持構造と同じである。
【００２１】
また、第三のユニット２Ｃは、支柱部６（図５参照）および後壁７を有する。ただし、第三のユニット２Ｃは、天壁８や、上部筐体５、リーダライタ１１，１２、ＬＣＤ１３等は、有していない。
【００２２】
第一〜第三の筐体４Ａ〜４Ｃは、上述したように、共通構造として構成されている。すなわち、図６〜８に示すように、いずれの筐体４Ａ〜４Ｃも、同じスペック（配置、形状、材質等）の側壁４ｂ、前壁４ｃ、底壁４ｄ、後壁７を有し、上方に開放された収容部Ｓ２が形成されている。収容部Ｓ２は、それぞれ、同じスペックの仕切壁４ｅ，４ｆによって上下方向（Ｚ方向）に三つに区分されている。そして、区分されたそれぞれの空間が部品の収容部として利用されるとともに、仕切壁４ｅ，４ｆが部品の支持壁として機能している。
【００２３】
第一および第二のユニット２Ａ，２Ｂでは、下側の仕切壁４ｅ上に制御ユニット２０が載置されている。制御ユニット２０内には、決済カウンタ１Ａ，１Ｂの制御回路が実装された回路基板が収容されている。なお、制御ユニット２０は、仕切壁４ｅ，４ｆ間の空間内に収容されているということができる。
【００２４】
また、第一および第三のユニット２Ａ，２Ｃでは、上側の仕切壁４ｆ上に、計量器１６が載置されている。また、第二のユニット２Ｂでは、上側の仕切壁４ｆ上に、自動釣銭機１８が載置されている。そして、第一〜第三のユニット２Ａ〜２Ｃの全てにおいて、底壁４ｄ上に、電源ユニット２１が載置されている。
【００２５】
また、図９に示すように、電子決済カウンタ１Ａは、ＣＰＵ（Central Processing Unit）２０ａや、ＲＯＭ（Read Only Memory）２０ｂ、ＲＡＭ（Random Access Memory）２０ｃ、時計部２０ｄ、ＨＤＤコントローラ２０ｅ、ネットワークインタフェース２２ａ、タッチパネルコントローラ２２ｂ、計量器コントローラ２２ｃ、プリンタコントローラ２２ｄ、スキャナコントローラ２２ｅ、リーダライタコントローラ２２ｆ，２２ｇ等を有している。また、現金決済カウンタ１Ｂは、上記構成要素に加えて、さらに、自動釣銭機コントローラ２２ｉを有している。そして、図９に示すように、これら各構成要素は、アドレスバス、データバス等のバスライン２２ｈを介して相互に接続されている。
【００２６】
ＣＰＵ２０ａは、ＲＯＭ２０ｂ等に記憶されたコンピュータ読み取り可能な各種プログラムを実行することにより、電子決済カウンタ１Ａならびに現金決済カウンタ１Ｂの各部を制御する。ＲＯＭ２０ｂは、ＣＰＵ２０ａが実行する各種データや、各種プログラム（ＢＩＯＳ（Basic Input Output System）プログラム、アプリケーションプログラム、デバイスドライバプログラム等）等を記憶する。ＲＡＭ２０ｃは、ＣＰＵ２０ａが各種プログラムを実行する際に一時的にデータやプログラムを記憶する。
【００２７】
また、時計部２０ｄは、現在の日時を計時する。また、ＨＤＤコントローラ２０ｅは、ＣＰＵ２０ａからの指示信号に基づいて不揮発性の記憶部としてのハードディスクドライブ（ＨＤＤ）２３ａに対するデータの書き込みおよび読み出しを制御する。ＨＤＤ２３ａは、ＯＳ（Operating System）プログラムや、アプリケーションプログラム、デバイスドライバプログラム等の他、各種のデータを記憶する。
【００２８】
本実施形態では、例えば、ＣＰＵ２０ａや、ＲＯＭ２０ｂ、ＲＡＭ２０ｃ、時計部２０ｄ、ＨＤＤコントローラ２０ｅ、ＨＤＤ２３ａ等が、制御ユニット２０内に収容される。
【００２９】
また、ネットワークインタフェース（Ｉ／Ｆ）２２ａは、電気通信回線を通じて接続される他の装置（例えば、ＰＯＳサーバや、商品データベース等、図示せず）とのデータ通信を制御する。タッチパネルコントローラ２２ｂは、タッチパネル付きのＬＣＤ１３を制御してＣＰＵ２０ａから供給される表示データに対応した文字等をカラーあるいはモノクロで表示させるとともに、ＬＣＤ１３の画面に取り付けられたタッチパネルセンサ２３ｂからの信号を取込んでＣＰＵ２０ａに通知する。また、計量器コントローラ２２ｃは、計量器１６にＣＰＵ２０ａからの制御信号（例えば計量開始、計量終了の指示信号等）を入力するとともに、計量器１６の計量結果を示すデータをＣＰＵ２０ａに通知する。プリンタコントローラ２２ｄは、ＣＰＵ２０ａからの印字データをプリンタ１０に入力し、当該プリンタ１０にレシート印字やジャーナル印字等を行わせる。スキャナコントローラ２２ｅは、スキャナ９で読み取られたデータの信号を取込んでＣＰＵ２０ａに送る。リーダライタコントローラ２２ｆ，２２ｇは、対応するリーダライタ１１，１２にＣＰＵ２０ａからの指示信号やデータを入力するとともに、対応するリーダライタ１１，１２から受け取ったデータをＣＰＵ２０ａに通知する。また、現金決済カウンタ１Ｂのみに設けられる自動釣銭機コントローラ２２ｉは、自動釣銭機１８にＣＰＵ２０ａからの指示信号やデータを入力するとともに、自動釣銭機１８から受け取ったデータをＣＰＵ２０ａに通知する。
【００３０】
商品を購入する際、オペレータ（ユーザ）は、まずは、タッチパネル付きのＬＣＤ１３を操作するなどして、電子決済カウンタ１Ａまたは現金決済カウンタ１Ｂに、購入処理の開始を通知する。そして、載置台ユニット３上に載置された買い物かご（図示せず）から商品を一つずつ取り出して、商品に添付された商品コードを示すバーコード等をスキャナ９に読み取らせ、袋掛け機構１５に引っ掛けられた袋に、商品を入れる。ＣＰＵ２０ａの動作により、スキャナ９で読み取られた商品の情報が、ＬＣＤ１３に表示される。また、袋掛け機構１５は、計量器１６に装備されているため、計量器１６は袋に入れられた商品の重量を計量することができる。したがって、ＣＰＵ２０ａは、スキャナ９で商品コードを読み取った商品の重量の積算値を、図示しない商品データベース等から取得して算出し、その積算値と計量器１６による計量値とを比較して、オペレータ（ユーザ）による誤操作や不正の有無を判別することができる。なお、袋掛け機構１５を使用せず、計量器１６上に載置された買い物かごに商品を入れてもよい。
【００３１】
全ての商品についての購入処理が終わると、オペレータ（ユーザ）は、タッチパネル付きのＬＣＤ１３を操作するなどして、電子決済カウンタ１Ａまたは現金決済カウンタ１Ｂに、購入処理の終了を通知する。すると、ＣＰＵ２０ａは、全ての商品の購入金額をＬＣＤ１３に表示させるとともに、決済方法を選択させる表示画面を表示する。オペレータ（ユーザ）は、ＬＣＤ１３を操作することで、決済方法（例えば、電子決済か現金決済かの区別、電子決済する場合のクレジットカードや、電子マネーの種類等）を選択して、電子決済カウンタ１Ａまたは現金決済カウンタ１Ｂに通知する。ＣＰＵ２０ａは、選択された決済方法にしたがって、リーダライタ１１，１２や自動釣銭機１８を制御して、決済処理を実行する。
【００３２】
以上、説明したように、本実施形態では、第一のユニット２Ａの一部（ベース）としての第一の筐体４Ａと第二のユニット２Ｂの一部（ベース）としての第二の筐体４Ｂとが共通構造として構成された。よって、本実施形態では、第一のユニット２Ａと第二のユニット２Ｂとで、サイズ（設置面Ｇにおける設置面積）を統一しやすくなる。このため、例えば、電子決済カウンタ１Ａおよび現金決済カウンタ１Ｂのうちいずれかを選択する場合や、既に設置した第一および第二のユニット２Ａ，２Ｂのうち一方を他方に入れ替える場合等に、選択されるあるいは入れ替えられる対象としてのユニット２Ａ，２Ｂに対応する設置スペースは大きく変化しないため、設置スペースの見積もりや、ユニット２Ａ，２Ｂの入れ替えに伴うレイアウトの変更等を、比較的容易に行うことができる。
【００３３】
加えて、本実施形態では、第三のユニット２Ｃのベースとしての第三の筐体４Ｃを、第一の筐体４Ａおよび第二の筐体４Ｂとの共通構造として構成した。よって、本実施形態で例示した現金決済カウンタ１Ｂのように、第二のユニット２Ｂと第三のユニット２Ｃとを横に並べて配置する場合に、その設置スペースを比較的容易に見積もることができるとともに、電子決済カウンタ１Ａと現金決済カウンタ１Ｂとの入れ替えを、大きなレイアウト変更等を伴わずに比較的容易に行うことができる。
【００３４】
さらに、第一〜第三の筐体４Ａ〜４Ｃを共通構造としたため、第一〜第三のユニット２Ａ〜２Ｃの製造コストを低減することができる。加えて、本実施形態では、第一および第二のユニット２Ａ，２Ｂについては、上部筐体５や、支柱部６、後壁７等も共通構造であるため、これらの部品を第一および第二のユニット２Ａ，２Ｂのそれぞれに対応して別個に構成する場合に比べて、製造コストをより一層低減することができる。
【００３５】
また、第二のユニット２Ｂでは、第二の筐体４Ｂを、自動釣銭機１８の載置台として利用することができるとともに、当該第二の筐体４Ｂの上方の空間Ｓ１を、自動釣銭機１８を配置するスペースとして利用することができる。また、第一のユニット２Ａでは、第一の筐体４Ａを、計量器１６の載置台として利用することができるとともに、第一の筐体４Ａの上方の空間Ｓ１を、計量器１６による計量スペースとして利用することができる。したがって、共通構造として構成される第一の筐体４Ａおよび第二の筐体４Ｂを、自動釣銭機１８および計量器１６の双方について、効率良く利用することができる。
【００３６】
また、本実施形態では、第一および第二のユニット２Ａ，２Ｂは、それぞれ、第一または第二の筐体４Ａ，４Ｂの上方に配置され、スキャナ９を有する上部筐体５と、第一または第二の筐体４Ａ，４Ｂと上部筐体５とを後側で接続する支柱部６と、を有する。よって、スキャナ９を有する上部筐体５を二つのユニット２Ａ，２Ｂについて共通構成とすることができるので、製造コストをより一層低減することができる。さらに、支柱部６を共通構造とすることにより、製造コストをより一層低減することができるとともに、第一および第二のユニット２Ａ，２Ｂの高さを揃えることができるため、電子決済カウンタ１Ａおよび現金決済カウンタ１Ｂを選択するあるいは入れ替える場合等に、第一および第二のユニット２Ａ，２Ｂの高さ方向の設置スペースの見積もりが容易になる。また、第一および第二のユニット２Ａ，２Ｂの入れ替えをより容易に行うことができる。
【００３７】
また、本実施形態では、第一および第三のユニット２Ａ，２Ｃでは、第一および第三の筐体４Ａ，４Ｃが共通構造として構成されるとともに、第一および第三の筐体４Ａ，４Ｃに同じ構成の計量器１６が載置された。よって、第一および第三の筐体４Ａ，４Ｃに加えて、計量器１６も共通構成とすることができるので、製造コストをより一層低減することができる。また、電子決済カウンタ１Ａから現金決済カウンタ１Ｂに入れ替える場合に、上部筐体５を取り外すなどにより、第一のユニット２Ａから第三のユニット２Ｃへの変更をより容易に行うことができるという利点もある。
【００３８】
さらに、本実施形態では、図１，２に示すように、第一〜第三のユニット２Ａ〜２Ｃの左右方向（Ｙ方向）に沿う幅Ｗを同じにした。このため、第一〜第三のユニット２Ａ〜２Ｃの設置スペースを想定しやすくなるため、例えば、電子決済カウンタ１Ａおよび現金決済カウンタ１Ｂのうちいずれかを選択する場合や、既に設置した第一および第二のユニット２Ａ，２Ｂのうち一方を他方に入れ替える場合等に、選択されるあるいは入れ替えられる対象としてのユニット２Ａ，２Ｂに対応する設置スペースは大きく変化しないため、設置スペースの見積もりや、ユニット２Ａ，２Ｂの入れ替えに伴うレイアウトの変更等を、比較的容易に行うことができる。
【００３９】
以上、本発明の好適な実施形態について説明したが、本発明は上記実施形態には限定されず、種々の変形が可能である。例えば、各ユニットの細部の構造等は適宜に変更して実施することができる。
【産業上の利用可能性】
【００４０】
以上のように、本発明は、電子決済カウンタおよび現金決済カウンタのうちいずれか一方が選択される場合や入れ替えられる場合等に有効である。
【符号の説明】
【００４１】
１Ａ  電子決済カウンタ（決済カウンタ）
１Ｂ  現金決済カウンタ（決済カウンタ）
２Ａ  第一のユニット
２Ｂ  第二のユニット
２Ｃ  第三のユニット
４Ａ  第一の筐体
４Ｂ  第二の筐体
４Ｃ  第三の筐体
５  上部筐体
６  支柱部
９  スキャナ
１１，１２  リーダライタ
１３  ＬＣＤ（表示部）
１６  計量器
１８  自動釣銭機
Ｗ  幅
【先行技術文献】
【特許文献】
【００４２】
【特許文献１】特開２００８−２６９００６公報
【図１】
2011186811.tif 000003
【図２】
2011186811.tif 000004
【図３】
2011186811.tif 000005
【図４】
2011186811.tif 000006
【図５】
2011186811.tif 000007
【図６】
2011186811.tif 000008
【図７】
2011186811.tif 000009
【図８】
2011186811.tif 000010
【図９】
2011186811.tif 000011